【手続補正書】
【提出日】平成18年10月17日(2006.10.17)
【手続補正１】
【補正対象書類名】特許請求の範囲
【補正対象項目名】請求項４
【補正方法】変更
【補正の内容】
【請求項４】
複数の素材画像を所定の背景画像上に配置して合成画像を生成する方法であって、
前記複数の素材画像のなかから特定の画像を選択しておき、
その特定の画像を含む前記複数の素材画像を前記背景画像上に配置してから、それら各素材画像ごとの誘目度を算出すると共に、その誘目度に基づいた順位付けを行った後、
前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるように前記複数の素材画像を繰り返し配置し直し、
前記特定の画像を含むその近傍の領域に配置された素材画像のなかで誘目度が最上位の素材画像の誘目度が、前記背景画像上に配置しようとする素材画像全てを対象とした誘目度の順位のなかで所定順位以下となったときに、
当該各素材画像と背景画像とを合成して合成画像を生成するようにしたことを特徴とする合成画像生成方法。
【手続補正２】
【補正対象書類名】特許請求の範囲
【補正対象項目名】請求項５
【補正方法】変更
【補正の内容】
【請求項５】
複数の素材画像を所定の背景画像上に配置して合成画像を生成する方法であって、
前記複数の素材画像のなかから特定の画像を選択しておき、
その特定の画像を含む前記複数の素材画像を前記背景画像上に配置してから、それら各素材画像ごとに、複数のテンプレートトリミングマスクを用いてトリミング処理を行ってから当該各素材画像ごとの誘目度を算出すると共に、その誘目度に基づいた順位付けを行い、
その後、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるように前記複数の素材画像を繰り返し配置し直し、
前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となったときに、
当該各素材画像と背景画像とを合成して合成画像を生成するようにしたことを特徴とする合成画像生成方法。
【手続補正３】
【補正対象書類名】特許請求の範囲
【補正対象項目名】請求項９
【補正方法】変更
【補正の内容】
【請求項９】
複数の素材画像を所定の背景画像上に配置して合成画像を生成する装置であって、
前記複数の素材画像のなかから特定の画像を選択する特定画像選択手段と、
当該特定画像選択手段で選択された特定画像を含む前記複数の素材画像を前記背景画像上に配置する画像レイアウト手段と、
前記各素材画像ごとの誘目度を算出する誘目度算出手段と、
当該誘目度算出手段で算出された誘目度に基づいて順位付けを行う誘目度順位決定手段と、
前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるか否かを判断する誘目度順位判断手段と、
前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下のときに、当該各素材画像と背景画像とを合成する画像合成手段と、  を備えたことを特徴とする合成画像生成装置。
【手続補正４】
【補正対象書類名】特許請求の範囲
【補正対象項目名】請求項１０
【補正方法】変更
【補正の内容】
【請求項１０】
複数の素材画像を所定の背景画像上に配置して合成画像を生成する装置であって、
前記複数の素材画像のなかから特定の画像を選択する特定画像選択手段と、
当該特定画像選択手段で選択された特定画像を含む前記複数の素材画像を前記背景画像上に配置する画像レイアウト手段と、
当該画像レイアウト手段で配置された各素材画像ごとに、複数のテンプレートトリミングマスクを用いてトリミング処理を実施するトリミング手段と、
当該トリミング手段でトリミング処理された各素材画像ごとの誘目度を算出する誘目度算出手段と、
当該誘目度算出手段で算出された誘目度に基づいて順位付けを行う誘目度順位決定手段と、
前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるか否かを判断する誘目度順位判断手段と、
前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下のときに、当該各素材画像と背景画像とを合成する画像合成手段と、  を備えたことを特徴とする合成画像生成装置。
【手続補正５】
【補正対象書類名】特許請求の範囲
【補正対象項目名】請求項１２
【補正方法】変更
【補正の内容】
【請求項１２】
複数の素材画像を所定の背景画像上に配置して合成画像を生成するプログラムであって、
前記複数の素材画像のなかから特定の画像を選択する特定画像選択手段と、
当該特定画像選択手段で選択された特定画像を含む前記複数の素材画像を前記背景画像上に配置する画像レイアウト手段と、
前記各素材画像ごとの誘目度を算出する誘目度算出手段と、
当該誘目度算出手段で算出された誘目度に基づいて順位付けを行う誘目度順位決定手段と、
前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるか否かを判断する誘目度順位判断手段と、
前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下のときに、当該各素材画像と背景画像とを合成する画像合成手段と、  をコンピュータに機能させることを特徴とする合成画像生成プログラム。
【手続補正６】
【補正対象書類名】特許請求の範囲
【補正対象項目名】請求項１３
【補正方法】変更
【補正の内容】
【請求項１３】
複数の素材画像を所定の背景画像上に配置して合成画像を生成するプログラムであって、
前記複数の素材画像のなかから特定の画像を選択する特定画像選択手段と、
当該特定画像選択手段で選択された特定画像を含む前記複数の素材画像を前記背景画像上に配置する画像レイアウト手段と、
当該画像レイアウト手段で配置された各素材画像ごとに、複数のテンプレートトリミングマスクを用いてトリミング処理を実施するトリミング手段と、
当該トリミング手段でトリミング処理された各素材画像ごとの誘目度を算出する誘目度算出手段と、
当該誘目度算出手段で算出された誘目度に基づいて順位付けを行う誘目度順位決定手段と、
前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるか否かを判断する誘目度順位判断手段と、
前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下のときに、当該各素材画像と背景画像とを合成する画像合成手段と、  をコンピュータに機能させることを特徴とする合成画像生成プログラム
【手続補正７】
【補正対象書類名】明細書
【補正対象項目名】００１６
【補正方法】変更
【補正の内容】
【００１６】
〔発明４〕また、発明４の合成画像生成方法は、
複数の素材画像を所定の背景画像上に配置して合成画像を生成する方法であって、前記複数の素材画像のなかから特定の画像を選択しておき、その特定の画像を含む前記複数の素材画像を前記背景画像上にランダムに配置してから、それら各素材画像ごとの誘目度を算出すると共に、その誘目度に基づいた順位付けを行った後、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるように前記複数の素材画像を繰り返しランダムに配置し直し、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となったときに、当該各素材画像と背景画像とを合成して合成画像を生成するようにしたことを特徴とするものである。
【手続補正８】
【補正対象書類名】明細書
【補正対象項目名】００１９
【補正方法】変更
【補正の内容】
【００１９】
〔発明５〕また、発明５の合成画像生成方法は、
複数の素材画像を所定の背景画像上に配置して合成画像を生成する方法であって、前記複数の素材画像のなかから特定の画像を選択しておき、その特定の画像を含む前記複数の素材画像を前記背景画像上にランダムに配置してから、それら各素材画像ごとに、複数のトリミング処理をランダムに行ってから当該各素材画像ごとの誘目度を算出すると共に、その誘目度に基づいた順位付けを行い、その後、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるように前記複数の素材画像を繰り返しランダムに配置し直し、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となったときに、当該各素材画像と背景画像とを合成して合成画像を生成するようにしたことを特徴とするものである。
【手続補正９】
【補正対象書類名】明細書
【補正対象項目名】００３０
【補正方法】変更
【補正の内容】
【００３０】
〔発明１１〕また、発明１１の合成画像生成装置は、
複数の素材画像を所定の背景画像上に配置して合成画像を生成する装置であって、前記複数の素材画像のなかから特定の画像を選択する特定画像選択手段と、当該特定画像選択手段で選択された特定画像を含む前記複数の素材画像を前記背景画像上に配置する画像レイアウト手段と、前記各素材画像ごとの誘目度を算出する誘目度算出手段と、当該誘目度算出手段で算出された誘目度に基づいて順位付けを行う誘目度順位決定手段と、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるか否かを判断する誘目度順位判断手段と、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下のときに、当該各素材画像と背景画像とを合成する画像合成手段と、を備えたことを特徴とするものである。
【手続補正１０】
【補正対象書類名】明細書
【補正対象項目名】００３２
【補正方法】変更
【補正の内容】
【００３２】
〔発明１２〕また、発明１２の合成画像生成装置は、
複数の素材画像を所定の背景画像上に配置して合成画像を生成する装置であって、前記複数の素材画像のなかから特定の画像を選択する特定画像選択手段と、当該特定画像選択手段で選択された特定画像を含む前記複数の素材画像を前記背景画像上に配置する画像レイアウト手段と、当該画像レイアウト手段でランダムに配置された各素材画像ごとに、複数のテンプレートトリミングマスクを用いてトリミング処理を実施するトリミング手段と、当該トリミング手段でトリミング処理された各素材画像ごとの誘目度を算出する誘目度算出手段と、当該誘目度算出手段で算出された誘目度に基づいて順位付けを行う誘目度順位決定手段と、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるか否かを判断する誘目度順位判断手段と、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下のときに、当該各素材画像と背景画像とを合成する画像合成手段と、を備えたことを特徴とするものである。
【手続補正１１】
【補正対象書類名】明細書
【補正対象項目名】００４３
【補正方法】変更
【補正の内容】
【００４３】
〔発明１８〕また、発明１８の合成画像生成プログラムは、
複数の素材画像を所定の背景画像上に配置して合成画像を生成するプログラムであって、前記複数の素材画像のなかから特定の画像を選択する特定画像選択手段と、当該特定画像選択手段で選択された特定画像を含む前記複数の素材画像を前記背景画像上に配置する画像レイアウト手段と、前記各素材画像ごとの誘目度を算出する誘目度算出手段と、当該誘目度算出手段で算出された誘目度に基づいて順位付けを行う誘目度順位決定手段と、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるか否かを判断する誘目度順位判断手段と、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下のときに、当該各素材画像と背景画像とを合成する画像合成手段と、をコンピュータに機能させることを特徴とするものである。
【手続補正１２】
【補正対象書類名】明細書
【補正対象項目名】００４６
【補正方法】変更
【補正の内容】
【００４６】
〔発明１９〕また、発明１９の合成画像生成プログラムは、
複数の素材画像を所定の背景画像上に配置して合成画像を生成するプログラムであって、前記複数の素材画像のなかから特定の画像を選択する特定画像選択手段と、当該特定画像選択手段で選択された特定画像を含む前記複数の素材画像を前記背景画像上に配置する画像レイアウト手段と、当該画像レイアウト手段で配置された各素材画像ごとに、複数のテンプレートトリミングマスクを用いてトリミング処理を実施するトリミング手段と、当該トリミング手段でトリミング処理された各素材画像ごとの誘目度を算出する誘目度算出手段と、当該誘目度算出手段で算出された誘目度に基づいて順位付けを行う誘目度順位決定手段と、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下となるか否かを判断する誘目度順位判断手段と、前記特定の画像を含むその近傍の領域に配置された素材画像のなかで誘目度が最上位の素材画像の誘目度が、前記背景画像上に配置しようとする素材画像全てを対象とした誘目度の順位のなかで所定の順位以下のときに、当該各素材画像と背景画像とを合成する画像合成手段と、コンピュータに機能させることを特徴とするものである。